(57)【要約】      （修正有）【課題】半田付け行程で使用されるリフロー炉の炉体を保温することで、リフロー炉の消費電力を低減させること及び室温を上昇させない効果が得られる炉体の保温カバーを提供する。【解決手段】加熱空間で形成される炉体の外周面を保温体で包み込むことで、炉体外面から放出される熱を封じ込めることを特徴とする。炉体の外周面を保温体で覆うことにより、断熱性を向上させ、炉内の熱保持エネルギーを最小限にとどめることで、電気エネルギーの削減につながり、省エネの効果がある。【選択図】図１
0003170508.tif 000002
【実用新案登録請求の範囲】
【請求項１】
袋状の断熱素材で構成される袋体と、該袋体の内部に密封された断熱体で構成されるリフロー炉用保温体。
【請求項２】
前記保温体の外辺部の少なくとも１辺に、吸着手段を設けた、請求項１に記載のリフロー炉用保温体。
【請求項３】
前記保温体の外面部に、袋状のポケット部を設けた、請求項１乃至２に記載のリフロー炉用保温体。
【請求項４】
前記ポケット部に、保温用のヒーターを入れた、請求項３に記載のリフロー炉用保温体。
【考案の詳細な説明】
【技術分野】
【０００１】  本考案は、基板に電子部品を実装したあと、半田付け工程で使用されるリフロー炉の炉体を保温することで、リフロー炉の消費電力を低減させること及び室温を上昇させない効果が得られる、炉体の保温カバーに関する。
【背景技術】
【０００２】  従来のリフロー炉は、基板に部品を実装する場合、半田ペーストを介して部品を搭載し、リフロー炉を通過させてリフロー半田付けを行っている。リフロー炉内は、炉体というコンベアが流れる空間内を電熱ヒーター等で２００度程度に暖め、その空気熱で半田ペーストを溶かして部品を基板に半田付けを行っている。【０００３】  炉体内の空間は大きいため、電熱ヒーターで空気を暖めるためには大きな電力を必要としている。また、作業を開始する前に十分に炉体内を温める必要があるため、一度、リフロー炉を停止させてしまうと、再起動させるための長い時間も必要である。【０００４】  従来の特許出願においては、リフロー炉を、外乱が入らない密封された加熱空間を形成する加熱用シールド構成にし、このリフロー炉に温風吹出し口を設けて、この温風吹出し口にダクトを介して送風機の空気吐出口を接続し、ダクト内に温風発生器を配置し、温風発生器に、この温風発生器における温風の温度及び加熱時間を制御する温度制御器を接続すると共に、送風機に、この送風機における風量及び送風時間を制御する風量制御器を接続することで、温風を直接被加熱物（プリンと基板及び電子部品）に吹き付ける構成を採用した出願がある（例えば、特許文献１参照）。
【先行技術文献】
【特許文献】
【０００５】
【特許文献１】特願２０００−１８６７０６号公報
【考案の概要】
【考案が解決しようとする課題】
【０００６】  しかし、従来のりフリー炉においては、先行技術文献にあげたように、密閉空間に温風を流し込むことで、温度制御を調整しやすいものはあるが、炉体の外周面から放出される熱に対する対策は行ってこなかった。
【課題を解決するための手段】
【０００７】  そこで、本考案では、加熱空間で形成される炉体の外周面を保温体で包み込むことで、炉体外面から放出される熱を封じ込めることを特徴とする。
【考案の効果】
【０００８】  炉体の外周面を保温体で覆うことにより、断熱性を向上させ、炉内の熱保持エネルギーを最小限にとどめることで、電気エネルギーの削減につながり、省エネの効果がある。【０００９】  また、炉体の外周面を保温体で覆うことにより、炉体外周面からの熱の放出を少なくすることができるので、リフロー炉の機械周辺の室温上昇を抑え、作業環境向上につながるとともに、作業環境の空調費用の削減効果も見込める。【００１０】  また、本考案では、保温体の外周面にさらに断熱部材を装着することができるので、より一層の炉内の熱保持を高めることや、炉体からの放熱を抑えることができる。【００１１】  また、本考案では、リフロー炉を使用しないときに、リフロー炉の温度維持のため使用するエネルギーを削減するため、炉体の外周面に特殊フィルムヒーターを取り付けることができるので、炉体外周面の温度を保つことができ、炉体内の熱風温度が低下しにくくなり、炉体自身のヒーターを停止させても、炉体の内部温度を保つことができる。さらに、一度リフロー炉を停止させた後、再度立ち上げる際の電気エネルギーの削減を図ることもできる。【００１２】  さらには、本考案の保温体は、外周面の周囲に設けた吸着手段により炉体に吸着されているため、リフロー炉の整備等のとき、保温体を容易に取り外して整備を行うことができる。
【図面の簡単な説明】
【００１３】
【図１】本考案を示す断面図である。
【図２】本考案の他の実施例を示す断面図である。
【図３】本考案の他の実施例を示す斜視図である。
【符号の簡単な説明】
【００１４】    １０    保温体
１１    吸着部材
１２    接続部材
１３    ポケット部
Ｒ      炉体
Ｈ      フィルムヒーター
Ｎ      ノズル
Ｄ      ダンパー
【実施例】
【００１５】  図１に示すのは、本考案のリフロー炉用保温体の取り付け状態を示す断面図である。リフロー炉の搬送方向と直行する面を断面にしたもので、炉体Ｒの断面が四角く表現されており、その中央下側には、搬送レールが配置されている。【００１６】  符号１０で示されるのは、本考案の保温体で、外周が放火用素材の袋体で形成され、その袋体の内部にグラスファイバーが充填されている。符号１１で示されるものは、吸着部材で、本実施例では磁石が用いられている。この吸着部材１１は保温体１０に接合されており、保温体１０を炉体Ｒに密着させている。【００１７】  符号１２で示されるものは、接続部材であり、ベルクロファスナーで構成されている。接続部材１２は、保温体１０どうしをつなぎ合わせることで、保温体１０どうしの隙間をなくし、炉体Ｒからの熱の放出を防ぐことができる。【００１８】  保温体１０の内部に充填される保温素材はグラスファイバーに特定されず、他の保温素材でも良い。また、吸着部材１１は磁石に特定されず、両面テープやフックなどの他の吸着手段でもよい。また、接続部材１２はベルクロファスナーに限定されず、ファスナーや両面テープ、細長い紐どうしを縛りあげるバンドのような接続手段でもよい。【００１９】  また図２は本考案の他の実施例である。符号１３で示すものは、ポケット部であり、保温体１０の炉体Ｒ側の中央に内部に空間を有するように取り付けられている。符号Ｈで示されるものはフィルムヒーターでポケット部１３の内部に挿入されている。このフィルムヒーター１３が、炉体Ｒが休止状態時であるときに作動することで、炉体Ｒの温度をある一定温度に保持することができ、リフロー炉を再起動させるときの電力を少なくすることができる。また、このフィルムヒーターＨは炉体Ｒの側面に取り付けることも可能である。そのようにすれば、より炉体Ｒの保温力を高めることができる。【００２０】  フィルムヒーターＨはこれに限定されず、他の加温機能を有するものでもよい。【００２１】  図３は、本考案の他の実施例である。符号Ｎで示されるものは、空気を炉体Ｒの外面に流入させるためのノズルである。このノズルＮは保温体１０を貫通し、Ｎ１から冷えた空気を流入させ、Ｎ２から炉体Ｒで暖められた空気が排出され、その熱い空気はリフロー炉の排出口からリフロー炉外部に排出される。【００２２】  符号Ｄで示されるものは、ダンパーである。このダンパーＤは、空気が冷えている場合はノズルＮ２の空気が外部に流れないように閉じられ、炉体Ｒを冷やすために空気を流したい場合には、ノズルＮ２の空気を排出するように開く構造になっている。【００２３】  このようなダンパーＤの作用により、炉体Ｒを急激に冷やしたい場合にはダンパーＤを開いて冷たい空気で炉体Ｒを冷やすことができる。この構造により、リフロー炉に流す基板の種類を変えるために、温度プロファイルを変更する場合に、一度炉体Ｒを冷やして、温度プロファイルを変更することが容易になる。
【図１】
0003170508.tif 000003
【図２】
0003170508.tif 000004
【図３】
0003170508.tif 000005